(57)【要約】【課題】本発明は、主に食品分野において、紙製液体容器に充填包装機で日本酒、ジュースなどの内容物をホット充填した後、冷却する紙製液体容器充填包装ライン用冷却装置において、高能力タイプの紙製液体容器充填包装ラインでも冷却装置が１台で対応できる紙製液体容器充填包装ライン用冷却装置を提供する。【解決手段】紙製容器にホット充填された製品Ａを冷却する紙製液体容器充填包装ライン用冷却装置において、前記冷却装置１は、入口側ｉに製品Ａを供給する供給コンベアーＢ１が備えられ、出口側ｅには該製品Ａを排出する排出コンベアーＢ３が備えられていることを特徴とする紙製液体容器充填包装ライン用冷却装置である。【選択図】図１
2005112392.tif 000002
【特許請求の範囲】
【請求項１】
紙製容器にホット充填された製品を冷却する紙製液体容器充填包装ライン用冷却装置において、前記冷却装置は、入口側に製品を供給する供給コンベアーが備えられ、出口側には該製品を排出する排出コンベアーが備えられていることを特徴とする紙製液体容器充填包装ライン用冷却装置。
【請求項２】
前記冷却装置は、２列以上の並列した供給コンベアーで搬送されてきた製品を１台の供給スイーパーにより、該冷却装置内の搬送コンベアー上に等間隔に整列させて供給することを特徴とする請求項１記載の紙製液体容器充填包装ライン用冷却装置。
【請求項３】
前記冷却装置は、該冷却装置内の搬送コンベアー上に等間隔に整列されている製品を１台の排出スイーパーにより、２列以上の排出コンベアーに排出することを特徴とする請求項１又は２記載の紙製液体容器充填包装ライン用冷却装置。
【発明の詳細な説明】
【技術分野】
【０００１】
本発明は、日本酒、ジュースなどの紙製液体容器充填包装ライン用冷却装置に関するものであり、さらに詳しくは、日本酒、ジュースなどの紙製液体容器充填包装ラインの後工程の構成機器である紙製液体容器にホット充填された製品（内容物が充填されている紙製液体容器）を冷却する高能力タイプの紙製液体容器充填包装ライン用冷却装置に関するものである。
【背景技術】
【０００２】
日本酒、ジュースなど内容物が液体である食品分野における紙製液体容器充填包装ラインには、大別すると少ロット生産用などに使用される低能力タイプと大ロット生産用などに使用される高能力タイプの２種類の紙製液体容器充填包装ラインがある。
【０００３】
低能力タイプの紙製液体容器充填包装ラインにおける構成機器は、例えば、スリーブ状のブランクスを供給し、ボトムシール成型、液体内容物のホット充填、トップシール成型を順次行う紙製液体容器用充填包装機と、該充填包装機でホット充填された該内容物の重量をチェックする重量チェッカーと、ホット充填により加熱された該内容物を冷却する冷却装置と、充填後の容器を安全・衛生性確保のためシュリンク包装を行うシュリンク包装機と、該シュリンク包装容器をダンボールで集積包装するケーサーと、ダンボールケースをチェックするケースチェッカーと、該ダンボールケースをパレットに積載するパレタイザーとから構成されている。
【０００４】
以上のように、主に多品種少ロットや１品種でも販売量の少ない商品、あるいは市場調査などを兼ねて試験販売を行う目的としての少ロット生産に使用される紙製液体容器充填包装ラインの場合は、スリーブ状のブランクスを供給し、ボトムシール成型、液体内容物のホット充填、トップシール成型を順次行う工程のスピードが非常に遅い低能力タイプの紙製液体容器用の充填包装機が使用されている。
【０００５】
このような場合は、紙製液体容器用充填包装機の後工程であるホット充填により加熱された製品を散水により冷却する冷却装置への製品の搬送は、図３に示すように、１列のコンベアーで搬送されてくる。
【０００６】
該冷却装置１の入口側ｉに到達した製品Ａは、矢印で表現した供給方向ｃに沿って所定の数量が一列にそろうと矢印で表現した搬送方向ｄの奥へと一列そろった状態で順次搬送される。
【０００７】
図４に示すように、矢印で表現した供給方向ｃから、冷却装置１の入口側ｉに到達した６５℃〜７０℃程度でホット充填された製品Ａは、この冷却装置１内を矢印で表現した搬送方向ｄに搬送中に上部からの散水により、４０℃程度に冷却された後、一列そろった状態で出口側ｅから順次矢印で表現した排出方向ｆに順次排出される。
【０００８】
さらに詳しくは、図５に示すように、冷却装置１に供給コンベアーＢ１で搬送されてきた製品Ａは、所定数の一列にそろうと供給スイーパー２で該冷却装置１のネットコンベアーＢ２に一列単位で順次供給される。
【０００９】
該ネットコンベアーＢ２が移動している間に上部からの散水により、６５℃〜７０℃程度でホット充填された製品Ａは、４０℃程度に冷却され、更に排出スイーパー３で排出コンベアーＢ３に一列単位で順次排出される。
【００１０】
このように、従来の低能力タイプの紙製液体容器用充填包装機から排出される製品Ａは単位時間当たりの生産数量が少ないので該製品Ａを１台の供給スイーパー２により、１台の冷却装置１に等間隔に整列させて順次供給し、さらに１台の排出スイーパー３により順次排出する方式の冷却装置１で十分対応できる。
【００１１】
しかしながら、高能力タイプの紙製液体容器用充填包装ラインにおける構成機器は、例えば、スリーブ状のブランクスを供給し、ボトムシール成型、液体内容物のホット充填、トップシール成型を順次行う紙製液体容器用の充填包装機と、該充填包装機でホット充填された該内容物の重量をチェックする重量チェッカーと、ホット充填により加熱された該内容物を冷却する冷却装置と、バッファリング用のアキューム装置と、充填後の容器を安全・衛生性確保のためのシュリンク包装を行うシュリンク包装機と、該シュリンク包装された容器をダンボールで集積包装するケーサーと、ダンボールケースをチェックするケースチェッカーと、該ダンボールケースをパレットに積載するパレタイザーとからなるライン構成になっている。
【００１２】
このような高能力タイプの紙製液体容器用充填包装ラインの場合は、紙製液体容器用充填包装機から排出される製品Ａは、単位時間当たりの生産数量が非常に多く、搬送コンベアーも２列以上が使用されているので、従来の低能力タイプの紙製液体容器充填包装ラインに使用されている搬送コンベアー１列方式の冷却装置では対応できず、その対応策として冷却装置１を単純に増設して対応している。
【００１３】
したがって、高能力タイプの紙製液体容器用充填包装ラインの場合は、冷却装置およびコンベアー台数の増加、該設備の設置面積の増大、エアー・水・電気などのユーティリティー費用の増大、日常管理・メンテナンス費用の増大などにより、トータル費用が膨大となり、製品の生産コストが高くなる問題点がある。
【発明の開示】
【発明が解決しようとする課題】
【００１４】
本発明は従来技術の問題点を解決しようとするものであり、紙製容器にホット充填された製品を冷却する紙製液体容器充填包装ライン用冷却装置において、高能力タイプの紙製液体容器充填包装ラインでも冷却装置が１台で対応できる紙製液体容器充填包装ライン用冷却装置を提供するものである。
【課題を解決するための手段】
【００１５】
本発明は、上記のような課題を解決する為に成されたもので、本発明の請求項１に係る発明は、紙製容器にホット充填された製品Ａを冷却する紙製液体容器充填包装ライン用冷却装置において、前記冷却装置１は、入口側ｉに製品Ａを供給する供給コンベアーＢ１が備えられ、出口側ｅには該製品Ａを排出する排出コンベアーＢ３が備えられていることを特徴とする紙製液体容器充填包装ライン用冷却装置である。
【００１６】
本発明の請求項２に係る発明は、請求項１記載の紙製液体容器充填包装ライン用冷却装置において、前記冷却装置１は、２列以上の並列した供給コンベアーＢ１で搬送されてきた製品Ａを１台の供給スイーパー２により、該冷却装置１内の搬送コンベアーＢ２上に等間隔に整列させて供給することを特徴とする紙製液体容器充填包装ライン用冷却装置である。
【００１７】
本発明の請求項３に係る発明は、請求項１又は２記載の紙製液体容器充填包装ライン用冷却装置において、前記冷却装置１は、該冷却装置１内の搬送コンベアーＢ２上に等間隔に整列されている製品Ａを１台の排出スイーパー３により、２列以上の排出コンベアーＢ
３に排出することを特徴とする紙製液体容器充填包装ライン用冷却装置である。
【発明の効果】
【００１８】
本発明の紙製容器にホット充填された製品を冷却する紙製液体容器充填包装ライン用冷却装置は、入口側に製品を供給する供給コンベアーを備え、出口側には該製品を排出する排出コンベアーを備え、供給コンベアーで搬送されてきた製品を１台の供給スイーパーにより、１台の冷却装置に等間隔に整列させて供給することにより、供給コンベアー２列、排出コンベアー１列の場合は、冷却装置以降の工程を１ラインにすることが可能となり、また供給コンベアー１列、排出コンベアー２列の場合は、前工程の単列能力が高く、後工程以降多列に分けなければならない設備においても冷却装置１台で処理できるようになり、設備導入コストが低減し、さらに設置スペースが小さくなり、エアー・水・電気などのユーティリティー費用、及び日常管理・メンテナンス費用も減少する高能力タイプの紙製液体容器充填包装ライン用冷却装置を提供するものである。
【発明を実施するための最良の形態】
【００１９】
本発明の実施の形態を図１から図２に基づいて詳細に説明する。
【００２０】
図１は、本発明に係る紙製液体容器充填包装ライン用冷却装置の１実施例を示す概略図であり、（ａ）は、該冷却装置１入口側ｉの１実施例を示す概略図であり、（ｂ）は、該冷却装置１の出口側ｅの１実施例を示す概略図であり、図２は本発明に係る紙製液体容器充填包装ライン用冷却装置への製品Ａ供給形態の１実施例を示す概略図である。
【００２１】
本発明の紙製液体容器充填包装ライン用冷却装置は、スリーブ状のブランクスを供給し、ボトムシール成型、液体内容物のホット充填、トップシール成型を順次行う高能力タイプの紙製液体容器用の充填成型機から排出された製品Ａが、図２に示すように、冷却装置１の入口側ｉに２列の供給コンベアーで搬送されてくる。
【００２２】
前記２列の供給コンベアーは、前記冷却装置１内の製品Ａの搬送方向ｄに対して、直角方向に２列平行になっているために供給コンベアー上の製品Ａも冷却装置１の搬送方向ｄに対して直角方向に２列平行に整列供給される。
【００２３】
該冷却装置１の入口側ｉに到達した製品Ａは、矢印で表現した供給方向ｃに沿って所定の数量が２列にそろうと矢印で表現した搬送方向ｄの奥へと２列そろった状態で順次搬送される。
【００２４】
さらに詳しくは、図１（ａ）に示すように、前記冷却装置１の入口側ｉに２列の並列した供給コンベアーＢ１で搬送されてきた製品Ａは、両方の該供給コンベアーＢ１に所定の数量がそろうと、２列の製品Ａは１台の押し込み装置（供給スイーパー）２により、２列単位で搬送コンベアーＢ２上に等間隔に整列させて順次供給される。
【００２５】
次に、前記供給スイーパー２の動作を説明すると、先ず、該供給スイーパー２は、冷却装置１の入口側ｉに２列の並列した供給コンベアーＢ１で搬送されてきた製品Ａが、両方の該供給コンベアーＢ１に所定の数量がそろうと、矢印で表現した下降方向Ｗへと下降し、該供給スイーパー２に取り付けられている並列に複数設けられた押し込み板４により、製品Ａの所定の数量単位の２列を矢印で表現した前進方向Ｘへと押し出し、冷却装置１のネットコンベアーＢ２に２列単位で順次供給する。
【００２６】
次に、該供給スイーパー２は、矢印で表現した上昇方向Ｙへと上昇し、矢印で表現した後進方向Ｚへと戻り、スタート位置にスタンバイする。
【００２７】
次に、図１（ｂ）に示すように、冷却装置１内で冷却が完了した製品Ａは、出口側ｅの１台の排出スイーパー３により、２列単位で排出コンベアーＢ３上に排出される。
【００２８】
次に、前記排出スイーパー３の動作を説明すると、先ず、該排出スイーパー３は、冷却装置１内で冷却が完了した製品Ａが出口側ｅに到達すると、矢印で表現した下降方向Ｗへと下降し、該排出スイーパー３に取り付けられている並列に複数設けられた押し込み板４により、製品Ａの所定の数量単位の列を矢印で表現した前進方向Ｘへと押し出し、排出コンベアーＢ３に２列単位で排出する。
【００２９】
次に、該排出スイーパー３は、矢印で表現した上昇方向Ｙへと上昇し、矢印で表現した後進方向Ｚへと戻り、スタート位置にスタンバイする。
【００３０】
以上のように、本発明の紙製液体容器にホット充填された製品を冷却する紙製液体容器充填包装ライン用冷却装置は、入口側に製品を供給する供給コンベアーを備え、出口側には該製品を排出する排出コンベアーを備え、供給コンベアーで搬送されてきた製品を１台の供給スイーパーにより、１台の冷却装置に等間隔に整列させて供給することにより、供給コンベアー２列、排出コンベアー１列の場合は、冷却装置以降の工程を１ラインにすることが可能となり、また供給コンベアー１列、排出コンベアー２列の場合は、前工程の単列能力が高く、後工程以降多列に分けなければならない設備においても冷却装置１台で処理できるようになり、設備導入コストが低減し、さらに設置スペースが小さくなり、エアー・水・電気などのユーティリティー費用、及び日常管理・メンテナンス費用も減少する高能力タイプの紙製液体容器充填包装ライン用冷却装置を提供するものである。
【実施例１】
【００３１】
本発明の紙製液体容器充填包装ライン用冷却装置は、基材にポリエチレン２５μｍ／晒クラフト紙３２０ｇ／ｍ2 ／ポリエチレン２５μｍ／アルミニウム箔９μｍ／ポリエステルフィルム１２μｍ／ポリエチレンフィルム６０μの積層材料を使用した、スリーブ状のブランクスを供給し、ボトムシール成型を行い、日本酒１，８００ｃｃを７０℃程度で充填し、トップシール成型を順次行う１時間あたり８，０００本を生産する高能力タイプの紙製液体容器用の充填成型機を使用した。
【００３２】
次に、日本酒が充填包装された製品Ａを、図２に示すように、冷却装置１の入口側ｉに２列の並列供給コンベアーで搬送した。
【００３３】
図１（ａ）に示すように、前記冷却装置１の入口側ｉに２列の並列した供給コンベアーＢ１で搬送した製品Ａを両方の該供給コンベアーＢ１に各々１１個整列した後、１台の押し込み装置（供給スイーパー）２により、２列単位で搬送コンベアーＢ２上に等間隔に整列させて順次供給した。
【００３４】
次に、図１（ｂ）に示すように、製品Ａを４０℃程度に冷却した後、排出スイーパー３で排出コンベアーＢ３に２列単位で順次排出した。
【００３５】
以上のように、本発明の紙製容器にホット充填された製品Ａを冷却する紙製液体容器充填包装ライン用冷却装置は、入口側ｉに製品Ａを供給する２列の並列供給コンベアーＢ１を備え、出口側ｅに該製品Ａを排出する２列の並列排出コンベアーＢ３を備え、１台の供給スイーパー２と排出スイーパー３を備えたことにより、冷却装置１台で処理できるようになり、設備導入コストが低減し、さらに設置スペースが小さくなり、エアー・水・電気などのユーティリティー費用、及び日常管理・メンテナンス費用も減少した。
【図面の簡単な説明】
【００３６】
【図１】本発明に係る紙製液体容器充填包装ライン用冷却装置の１実施例を示す概略図であり、（ａ）は、該冷却装置入り口側の１実施例を示す概略図であり、（ｂ）は、該冷却装置の出口側の１実施例を示す概略図である。
【図２】本発明に係る紙製液体容器充填包装ライン用冷却装置への製品供給形態の１実施例を示す概略図である。
【図３】従来の紙製液体容器充填包装ライン用冷却装置への製品供給形態の１実施例を示す概略図である。
【図４】従来の紙製液体容器充填包装ライン用冷却装置の入口側と出口側の製品供給と製品排出の１実施例を示す概略図である。
【図５】従来の紙製液体容器充填包装ライン用冷却装置の供給スイーパーと排出スイーパーの製品搬送の仕組みの１実施例を示す概略図である。
【符号の説明】
【００３７】
１・・・冷却装置
２・・・供給スイーパー
３・・・排出スイーパー
４・・・押し込み板
５・・・シュリンク包装機
Ａ・・・製品（内容物が充填されている紙製液体容器）
Ｂ１・・・供給コンベアー
Ｂ２・・・ネットコンベアー
Ｂ３・・・排出コンベアー
Ｗ・・・下降方向
Ｘ・・・前進方向
Ｙ・・・上昇方向
Ｚ・・・後進方向
ｃ・・・供給方向
ｄ・・・搬送方向
ｆ・・・排出方向
ｉ・・・入口側
ｅ・・・出口側
【図１】
2005112392.tif 000003
【図２】
2005112392.tif 000004
【図３】
2005112392.tif 000005
【図４】
2005112392.tif 000006
【図５】
2005112392.tif 000007